(57)【要約】      （修正有）【課題】組立てが容易で耐久性のある、指示ランプを有するマルチポートネットワークコネクタの構造を提供する。【解決手段】マルチポートネットワークコネクタの構造は、電磁波遮断機能を有するハウジング内に、複数の指示ランプと、複数の転送モジュールと、多孔式台座とが設けられ、転送モジュールが、濾波機能を有するコイルが埋め込まれた絶縁台座を有し、転送モジュールの前端に転送端子が設けられ、転送モジュールの両側に基板が設けられ、基板が前記コイルと電気的に連接され、多孔式台座が複数の挿入部を有し、挿入部内に転送モジュールが組付けられ、多孔式台座の上部に溝が設けられ、溝に指示ランプが設置されることによる。【選択図】図４
0003119145.tif 000002
【実用新案登録請求の範囲】
【請求項１】
電磁波遮断機能を有するハウジング内に、複数の指示ランプと、複数の転送モジュールと、多孔式台座とが設けられる、マルチポートネットワークコネクタの構造において、
前記転送モジュールが、濾波機能を有するコイルが埋め込まれた絶縁台座を有し、
前記転送モジュールの前端に転送端子が設けられ、
前記転送モジュールの両側に基板が設けられ、
前記基板が前記コイルと電気的に連接され、
前記多孔式台座が複数の挿入部を有し、該挿入部内に転送モジュールが組付けられ、
前記多孔式台座の上部に溝が設けられ、
前記溝に指示ランプが設置されることを特徴とする、マルチポートネットワークコネクタの構造。
【請求項２】
前記指示ランプがLED指示ランプであり、
前記挿入部の両側にLED指示ランプの端子用ソケットが設けられ、
前記LED指示ランプの端子用ソケット上部に長孔が設けられ、
前記LED指示ランプの端子が、後方へ伸び、下側に屈曲し、
前記LED指示ランプの端子の屈曲した部分が前記長孔に挿入されることを特徴とする、請求項１に記載のマルチポートネットワークコネクタの構造。
【請求項３】
前記多孔式台座の指示ランプ端子用ソケットの底部には端子孔が設けられ、
前記LED指示ランプの端子が前記端子孔を通じ、制御回路と電気的に連接されることを特徴とする、請求項２に記載のマルチポートネットワークコネクタの構造。
【請求項４】
前記指示ランプが、Ｌ型の導光柱固定構造を有する指示ランプであり、
前記導光柱固定構造を有する指示ランプが、前記転送モジュールの上面及び後面を覆い、
前記導光柱固定構造を有する指示ランプの後面に２つのLED指示ランプが埋め込まれ、
前記LED指示ランプの端子が導光柱固定構造の底面まで伸び、
前記導光柱固定構造を有する指示ランプの上面に２本の導光柱が設けられ、
前記導光柱が多孔式台座の上部の溝にはめ込まれ、指示ランプ端子用ソケットに支持されることを特徴とする、請求項１に記載のマルチポートネットワークコネクタの構造。
【考案の詳細な説明】
【技術分野】
【０００１】
本考案はマルチポートネットワークコネクタの構造に関し、特に、LED指示ランプが組み込まれたマルチポートネットワークコネクタの構造に関する。
【背景技術】
【０００２】
ネットワーク用コネクタにはＲＪ−４５コネクタが使用されることが多く、信号転送に使用される。ネットワーク技術の発達に伴って、マルチポートネットワークコネクタが開発され、多数のユーザが同時にネットワーク接続することが可能となり、多数のコンピュータが１つのネットワークケーブルを使用することが可能となった。
【０００３】
マルチポートネットワークコネクタは、１つのネットワークケーブルで多数のコンピュータが同時にネットワークを使用することができる。データの転送及びネットワークの使用を確認するために、マルチポートネットワークコネクタの各ポートには指示ランプが組み込まれる。指示ランプとしては多くの場合LEDが使用され、LEDの色と点滅等の点灯状態により、マルチポートネットワークコネクタの使用状態を確認することができる。
【０００４】
図１は、従来のマルチポートネットワークコネクタの内部構造であり、複数の転送モジュール９１の正面に多孔式台座９２が設けられ、各転送モジュール９１の信号転送端子９１１が多孔式台座９２の挿入部９２１に挿入され、前記多孔式台座９２と転送モジュール９１とが電磁波遮断機能を持つハウジングに覆われる。
【０００５】
転送モジュール９１には、内部に濾波機能を持つコイルが埋め込まれた絶縁台座９１２が設けてあり、その両側に基板９１３が設けられる。LED指示ランプ９３は、多孔式台座９２の正面に設けられたランプ台座９２２内に設置され、端子９３１の端部が樹脂板９４まで伸び、固定される。前記樹脂板９４は転送モジュール９１の基板９１３の横に設置されている。
【０００６】
上記構造では、樹脂板９４と基板９１３とは隣接し、短絡を防止するためにフィルム９５が設けられるが、樹脂板９４と基板９１３との組立作業中に、摩擦によってフィルム９５は破損しやすい。
【０００７】
また、マルチポートネットワークコネクタは多数の転送モジュール９１を組み合わせて構成されたものであり、多孔式台座９２は樹脂で成型されたものであるので、公差により、複数の転送モジュールと樹脂板９４との組立て作業が困難である。
【０００８】
また、LED指示ランプ９３の端子９３１は樹脂板９４によって固定することが必要であり、樹脂板９４の製造には成型用の金型を用意する必要があり、製造コストが向上する。
【０００９】
さらに、樹脂板９４と基板９１３とはフィルム９５によって仕切られているが、摩擦によって破損する可能性がある。
【考案の開示】
【考案が解決しようとする課題】
【００１０】
本考案の目的は、組立てが容易で耐久性のある、LED指示ランプを有するマルチポートネットワークコネクタの構造を提供することである。
【課題を解決するための手段】
【００１１】
本考案者らは、鋭意研究を重ねた結果、マルチポートネットワークコネクタの多孔式台座にLED指示ランプ用ソケットを設け、そこに指示ランプの端子を挿入し、制御回路と接続することによって、上記課題を解決するマルチポートネットワークコネクタの構造を完成した。
【００１２】
すなわち、本考案のマルチポートネットワークコネクタの構造は、以下よりなる。
１．電磁波遮断機能を有するハウジング内に、複数の指示ランプと、複数の転送モジュールと、多孔式台座とが設けられる、マルチポートネットワークコネクタの構造において、
前記転送モジュールが、濾波機能を有するコイルが埋め込まれた絶縁台座を有し、
前記転送モジュールの前端に転送端子が設けられ、
前記転送モジュールの両側に基板が設けられ、
前記基板が前記コイルと電気的に連接され、
前記多孔式台座が複数の挿入部を有し、該挿入部内に転送モジュールが組付けられ、
前記多孔式台座の上部に溝が設けられ、
前記溝に指示ランプが設置されることを特徴とする、マルチポートネットワークコネクタの構造。
２．前記指示ランプがLED指示ランプであり、
前記挿入部の両側にLED指示ランプの端子用ソケットが設けられ、
前記LED指示ランプの端子用ソケット上部に長孔が設けられ、
前記LED指示ランプの端子が、後方へ伸び、下側に屈曲し、
前記LED指示ランプの端子の屈曲した部分が前記長孔に挿入されることを特徴とする、前項１に記載のマルチポートネットワークコネクタの構造。
３．前記多孔式台座の指示ランプ端子用ソケットの底部には端子孔が設けられ、
前記LED指示ランプの端子が前記端子孔を通じ、制御回路と電気的に連接されることを特徴とする、前項２に記載のマルチポートネットワークコネクタの構造。
４．前記指示ランプが、Ｌ型の導光柱固定構造を有する指示ランプであり、
前記導光柱固定構造を有する指示ランプが、前記転送モジュールの上面及び後面を覆い、
前記導光柱固定構造を有する指示ランプの後面に２つのLED指示ランプが埋め込まれ、
前記LED指示ランプの端子が導光柱固定構造の底面まで伸び、
前記導光柱固定構造を有する指示ランプの上面に２本の導光柱が設けられ、
前記導光柱が多孔式台座の上部の溝にはめ込まれ、指示ランプ端子用ソケットに支持されることを特徴とする、前項１に記載のマルチポートネットワークコネクタの構造。
【考案の効果】
【００１３】
各転送モジュールが指示ランプ端子用ソケットに仕切られた挿入部に組付けられ、公差の問題が解消され、また、LED指示ランプの端子が指示ランプ端子用ソケットに固定されるので樹脂板がなくても絶縁効果が高いものとなる。また、樹脂板と基板との摩擦がなく、絶縁台座内部のコイルの濾波機能を確保することが可能となる。さらに、樹脂板が必要ないので、構造が簡素化され、構造が強固となり、製造コストが低減される。
【考案を実施するための最良の形態】
【００１４】
以下に、本考案の一実施形態を示し、具体的に説明するが、本考案はこれらに限定されるものではない。
【００１５】
図２〜４に示すように、本考案のマルチポートネットワークコネクタの構造は、電磁波遮断機能を持つハウジング内に、複数の転送モジュール１０と、複数の指示ランプ３０と、多孔式台座２０とが設けられる。ここで指示ランプはLED指示ランプである。
【００１６】
転送モジュール１０は、内部に濾波機能を有するコイルが埋め込まれた絶縁台座１２を有し、前端に転送端子１１が設けられ、両側に基板１３が設けられる。基板１３はコイルと電気的に連接される。
【００１７】
多孔式台座２０は、複数の挿入部２１を有し、各挿入部２１に１つの転送モジュール１０が組付けられる。多孔式台座２０の上部にはLED指示ランプを組み付ける溝２２が設けられる。多孔式台座２０の各挿入部２１の両側には指示ランプ端子用ソケット２３が設けられる。各指示ランプ端子用ソケット２３の上部には長孔２３１が設けられ、LEDランプ３０の端子３１の下部の屈曲した部分が長孔２３１を通じ指示ランプ端子用ソケット２３に挿入される。多孔式台座２０の指示ランプ端子用ソケット２３の底部には端子孔２３２が設けられ、LED指示ランプ３０の端子３１が端子孔２３２に通され制御回路と電気的に連接される。
【００１８】
本考案のマルチポートネットワークコネクタは、図２〜４の順に従って組み立てられる。図２に示すように、多孔式台座２０の指示ランプ端子用ソケット２３の長孔２３１にLED指示ランプ３０の端子３１を挿入し、図３に示すように、LED指示ランプ３０を多孔式台座２０上面の溝２２内に設置する。次に図４に示すように、多孔式台座２０の挿入部２１に転送モジュール１０を組み付ける。その後、電磁波遮断機能を持つハウジングで多孔式台座２０及び転送モジュール１０を覆う。
【００１９】
また、前記指示ランプの代わりに、導光柱固定構造を有する指示ランプを採用することも可能である（図５）。ここで、導光柱固定構造５０を有する指示ランプはＬ字型であり、転送モジュール１０の上面と後面を覆い、後面５１には２つのLED指示ランプ３０が埋め込まれ、LED指示ランプ３０の端子３１が底面まで伸びる。導光柱固定構造５０の上面には導光柱５２が２本設けられ、多孔式台座２０に設けられた溝２２にはめ込まれ、導光柱５２は多孔式台座２０の指示ランプ端子用ソケット２３に支持され、LED指示ランプが完全に内部に埋め込まれ、端子３１が外部に露出しない。
【産業上の利用可能性】
【００２０】
本考案により、マルチポートネットワークコネクタへのLED指示ランプの組み付けが容易で、LED指示ランプの摩擦による破損が軽減され、安価なマルチポートネットワークコネクタが製造可能となる。
【図面の簡単な説明】
【００２１】
【図１】従来のマルチポートネットワークコネクタを示す分解図である。
【図２】本考案のマルチポートネットワークコネクタを示す分解図である。
【図３】本考案のマルチポートネットワークコネクタを示す斜視図である。
【図４】本考案のマルチポートネットワークコネクタを示す分解図である
【図５】本考案のマルチポートネットワークコネクタを示す斜視図である。
【符号の説明】
【００２２】
１０      転送モジュール
１１      転送端子
１２      絶縁台座
１３      基板
２０      多孔式台座
２１      挿入部
２２      溝
２３      指示ランプ端子用ソケット
２３１    長孔
２３２    端子孔
３０      LED指示ランプ
３１      端子
５０      導光柱固定構造
５１      後面
５２      導光柱
９１      転送モジュール
９１２    絶縁台座
９１３    基板
９２      多孔式台座
９２１    挿入部
９２２    ランプ台座
９３      LED指示ランプ
９４      樹脂板
９５      フィルム
【図１】
0003119145.tif 000003
【図２】
0003119145.tif 000004
【図３】
0003119145.tif 000005
【図４】
0003119145.tif 000006
【図５】
0003119145.tif 000007